(57)【特許請求の範囲】
【請求項１】
キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達するようにしたことを特徴とする情報システム。
【請求項２】
前記固有情報が利用者認証情報であることを特徴とする請求項１記載の情報システム。
【請求項３】
前記固有情報が課金情報であることを特徴とする請求項１記載の情報システム。
【請求項４】
前記情報端末装置に、プリペイド情報を入力するためのプリペイド情報入力手段を付加し、入力された前記プリペイド情報を前記人体側通信装置の固有情報記憶手段に転送するようにしたことを特徴とする請求項３記載の情報システム。
【請求項５】
前記情報端末装置に、該情報端末装置の使用時間もしくは使用回数を計る計時手段と、該計時手段の計時情報をもとに課金演算を行う課金演算手段を有するようにしたことを特徴とする請求項３又は請求項４記載の情報システム。
【請求項６】
キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置と、前記情報端末装置とネットワークを介して接続され、人と該人に対応する固有情報とを格納した管理データベースを具備したサーバ装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達させ、前記サーバ装置と、前記情報端末装置もしくは前記人体側通信装置との間で、前記固有情報の通信を行い、前記サーバ装置において該固有情報と前記管理データベースに基づいて、人の情報端末の利用状態を管理するようにしたことを特徴とするシステム運用管理方法。
【請求項７】
前記サーバ装置により前記人体側通信装置の固有情報を書き換え可能としたことを特徴とする請求項６記載のシステム運用管理方法。
【発明の詳細な説明】
【０００１】
【発明の属する技術分野】
本発明は、利用者認証や利用料金の課金を行う情報システム並びにそのシステム運用管理方法に関するものである。
【０００２】
【従来の技術】
従来の利用者認証装置は、キーボードによるパスワード入力、指紋認証装置への指認証、音声認証装置への音声吹き込み、アイリス認証装置への覗き込みなど、利用者の意識的な行動による利用者認証方法を採用していた。これらの認証は、ログイン時、ログアウト時、重要事項入力に際しての確認時に、単発また間欠的に行われるものである。そして認証されると、認証された利用者がその後継続して利用していることが前提とされている。
【０００３】
【発明が解決しようとする課題】
しかしながら、従来の利用者認証方法では、例えばある装置の利用において、ある利用者がログイン時に認証しても、実際の利用時に認証した利用者とは別の人物がその装置を利用するということも可能である。このため、重要事項の入力に際しても、入力した個人を確実に特定することができないという問題が生じている。
【０００４】
また、近年、サーバにインストールされたアプリケーションをインターネットを通じて契約者に利用可能とするＡＳＰ（Application Service Provider）というビジネスが現れてきている。このＡＳＰでは、アプリケーションの時間貸し、つまりアプリケーションの利用時間に応じて、利用者に利用料金を課金するということが行われている。しかし、ログインとログアウトの間隔のみでしか利用時間を特定することができないために、課金基準をきめ細かく設定することができないという問題があった。
【０００５】
本発明は、上記事由に鑑みてなしたもので、その目的とするところは、情報端末装置の利用者を、その利用中常時認証し特定することができ、また利用者に対し使用状況に合致した課金を行うことのできる情報システム及びシステム運用管理方法を提供することにある。
【０００６】
【課題を解決するための手段】
上記目的を達成するために、請求項１記載の発明は、キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達するようにしたことを特徴とするものである。
【０００７】
請求項２記載の発明は、請求項１記載の情報システムにおいて、前記固有情報が利用者認証情報であることを特徴とするものである。
【０００８】
請求項３記載の発明は、請求項１記載の情報システムにおいて、前記固有情報が課金情報であることを特徴とするものである。
【０００９】
請求項４記載の発明は、請求項３記載の情報システムにおいて、前記情報端末装置に、プリペイド情報を入力するためのプリペイド情報入力手段を付加し、入力された前記プリペイド情報を前記人体側通信装置の固有情報記憶手段に転送するようにしたことを特徴とするものである。
【００１０】
請求項５記載の発明は、請求項３又は請求項４記載の情報システムにおいて、前記情報端末装置に、該情報端末装置の使用時間もしくは使用回数を計る計時手段と、該計時手段の計時情報をもとに課金演算を行う課金演算手段を有するようにしたことを特徴とするものである。
【００１１】
請求項６記載の発明は、システム運用管理方法として、キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置と、前記情報端末装置とネットワークを介して接続され、人と該人に対応する固有情報とを格納した管理データベースを具備したサーバ装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達させ、前記サーバ装置と、前記情報端末装置もしくは前記人体側通信装置との間で、前記固有情報の通信を行い、前記サーバ装置において該固有情報と前記管理データベースに基づいて、人の情報端末の利用状態を管理するようにしたことを特徴とするものである。
【００１２】
請求項７記載の発明は、請求項６記載のシステム運用管理方法において、前記サーバ装置により前記人体側通信装置の固有情報を書き換え可能としたことを特徴とするものである。
【００１３】
【発明の実施の形態】
以下、本発明の実施の形態に係る情報システム及びそのシステム運用管理方法について図１乃至図６にもとづき説明する。
【００１４】
図１乃至図３は本発明の実施の形態の情報システムの基本を示す。図１に示すように、本発明の情報システムは、主に、利用者３が使用する情報端末装置１及び、利用者３に装着される人体側通信装置２を有してなる。
【００１５】
次に情報端末装置１及び人体側通信装置２の内部構成について述べる。図２（ａ）に示すように、情報端末装置１は情報出力部１１、情報入力部１２、通信信号送信部１３、通信信号受信部１４、制御部１５、利用者認証部１６、ネットワーク接続部１７、人体接触検知部１８、課金部１９、プリペイド情報管理部１Ａ、記憶部１Ｂ、計時部１Ｃを有している。また、図２（ｂ）に示すように、人体側通信装置２は、通信信号受信部２１、通信信号送信部２２、制御部２３、記憶部２４を有している。
【００１６】
次に、情報入力部１２の一例を図３に示す。ここで、情報入力部１２はキーボードＫやマウスＭである。本発明においては、このキーボードＫのキー、マウスＭの本体及びクリックボタン部に、導電性部材として電極１２１が設けられている。尚、この電極１２１は情報入力部のデータ伝送線（回路）と電気的に結合されているものである。
【００１７】
図１に示すように、利用者３は人体側通信装置２を装着し、情報端末装置１を使用する。利用者３は情報端末装置１に備えられたキーボードＫやマウスＭなどの情報入力部１２を用いて情報を入力するが、電極１２１が設けられた情報入力部１２に人体（利用者３）が接触すると、人体接触検知部１８がその接触を検知し、制御部１５は、通信信号送信部１３により、人体側通信装置２に対して通信を開始することを促す通信開始信号を送信する。通信開始信号は情報端末装置１から人体（利用者３）を介して人体通信装置２の通信信号受信部２１に到達し、そして、制御部２３が動作し、制御部２３の制御信号に基づき、記憶部２４に格納されている利用者認証情報を読み取り、この利用者認証情報を通信信号送信部２２から送信する。
【００１８】
人体側通信装置２から送信された利用者認証情報は、人体（利用者３）を介して、情報端末装置１の通信信号受信部１４で受信される。そして、制御部１５が動作し、制御部１５の制御信号に基づき、受信した利用者認証情報を利用者認証部１６に転送して利用者認証を行う。そして、情報入力部１２において利用者３の操作により入力された入力情報に利用者認証情報を付加し、それらを情報端末装置１にインストールされているアプリケーションに伝達する。
【００１９】
尚、ここで、入力情報毎に利用者認証情報を付加してアプリケーションに伝達するようにしてもよいし、登録された利用者３であることを認証した場合のみ入力情報を（利用者認証情報を付加せず）、アプリケーションに伝達するようにしてもよい。また、利用しているアプリケーションは、ネットワーク上の別のサーバ等にインストールされていてもよい。ＡＳＰ等がこの形態に該当する。
【００２０】
次に、同じく図１乃至図３に示した情報システムの構成に基づいて、情報端末装置１と人体側通信装置２との間で課金情報を通信する場合について述べる。前述のように、情報端末装置１の電極１２１が設けられた情報入力部１２に人体（利用者３）が接触すると人体接触検知部１８は接触を検知し、制御部１５は、通信信号送信部１３により、人体側通信装置２に対して通信を開始することを促す通信開始信号を送信する。通信開始信号は情報端末装置１から人体（利用者３）を介して人体通信装置２の通信信号受信部２１に到達し、そして、制御部２３が動作し、制御部２３の制御信号に基づき、記憶部２４に格納されている課金情報を読み取り、この課金情報を通信信号送信部２２から送信する。
【００２１】
人体側通信装置２から送信された課金情報は、人体（利用者３）を介して、情報端末装置１の通信信号受信部１４で受信される。そして、制御部１５が動作し、制御部１５の制御信号に基づき、受信した課金情報を課金部１９に転送し、そして、情報入力部１２において、利用者３の操作により入力された入力情報に課金情報を付加し、利用するアプリケーションに伝達する。
【００２２】
ここで、アプリケーションの利用に基づいて人体側通信装置２に格納されている課金情報を更新する場合は、通信信号送信部１３により、人体側通信装置２に課金情報を更新するための課金情報更新情報を送信する。課金情報更新情報は情報端末装置１から人体（利用者３）を介して人体通信装置２の通信信号受信部２１に到達し、そして、制御部２３が動作し、制御部２３の制御信号に基づき、記憶部２４に格納されている課金情報を更新する。
【００２３】
プリペイドカードで課金処理行う場合は、情報端末装置１にプリペイド情報管理部１Ｂを有し、利用者３はプリペイド情報を情報入力部１２（ここではカードリーダ等）から入力する。入力されたプリペイド情報は、プリペイド情報管理部１Ｂにおいて解析され、ここで課金情報に変換され、課金部１９に転送される。また、さらに課金情報は人体側送信装置２の記憶部２４に転送される。そして同様の情報伝送により課金処理が行われる。
【００２４】
尚、ここで、課金情報の残高が０である場合はアプリケーションは動作しないようにしてもよい。入力情報毎に課金情報を付加してアプリケーションに伝達するようにしてもよいし、課金情報の残高が０より大きい場合のみ入力情報をアプリケーションに伝達するようにしてもよい。また、前述のように、利用しているアプリケーションは、情報端末装置１にインストールされていてもよいし、ネットワーク上の別のサーバ等にインストールされていてもよい。
【００２５】
図４は、ネットワーク４上に接続されているサーバ装置５から情報端末装置１及び人体側通信装置２の情報を管理する一例を示すものである。情報端末装置１は、ネットワーク接続部１７により、公衆回線網などのネットワーク４に接続されている。また、ネットワーク４には情報端末装置１及び人体側通信装置２の情報を管理するためのサーバ装置５が接続されている。情報端末装置１は複数存在してもよく、ここでは情報端末装置１ａ，１ｂ，１ｃ、１ｄが存在する。また各々の情報端末装置１に対して、利用者３として利用者３ａ，３ｂ，３ｃ，３ｄが存在するとともに、さらに各々の利用者３は人体側通信装置２として人体側通信装置２ａ，２ｂ，２ｃ，２ｄを装着している。
【００２６】
情報端末装置１の記憶部１Ａには情報端末装置１の各種の情報が格納されている。そして、サーバ装置５からは、ネットワーク４を経由して情報端末装置１（１ａ，１ｂ・・）の記憶部１Ａにアクセス可能となっている。
【００２７】
また、サーバ装置５からは同様にネットワーク４を経由して端末装置１の通信信号送信部１３及び通信信号受信部１４にもアクセス可能であり、さらに人体（利用者３）を介して（つまりネットワーク４、情報端末装置１、利用者３を介して）、人体側通信装置２の情報を管理する。
【００２８】
ある瞬間を見ると、１台の情報端末装置１に対して１人の利用者３が存在するとともに、１個の人体側通信装置２が対応しており、人体側通信装置２を装着している利用者３が情報端末装置１を使用しているときにのみ、通信が成立している。利用者３が情報端末装置１に接触しなくなった場合は、利用者３ｄ及び人体側通信装置２ｄのような状態であり、この場合サーバ装置５による情報端末装置１や人体側通信装置２の情報の管理は行われない。
【００２９】
このように、サーバ装置５は接触している利用者３の人体側通信装置２の情報のみ直接管理するようになっているが、一時的に離れている利用者３のような場合には、その人体側通信装置２の情報をサーバ装置５側で保持するようにしてもよい。たとえ、ある瞬間から時間が経過し、利用者３（人体側通信装置２）と情報端末装置１との組み合わせが変化しても、サーバ装置５は、今まさに情報端末装置１に接触している利用者３の装着している人体側通信装置２に対して認証情報及び課金情報の通信を行うので、その変化による影響はない。
【００３０】
尚、サーバ装置５から人体側通信装置２へのアクセスは、ネットワーク４−情報端末装置１−人体（利用者３）を経由して、直接行うようにしてもよいし、情報端末装置１をバッファとして、人体側通信装置２の情報を一時的に保持（記憶部１Ａ）し、その保持した情報に対してアクセスするようにしてもよい。またサーバ装置５で管理する情報は人体側通信装置２及び情報端末装置１に格納されている全ての情報であってもよいし、その一部の情報に限定してもよい。また、ここでの実施の形態ではサーバ装置５が１台であるが、複数台あってもよく、さらに、サーバ装置５内の管理データベース（５１）をサーバ装置５から分離しネットワーク４上の別の位置に配置してもよい。
【００３１】
ここで、本発明の課金方式の例を示す。情報端末装置１に計時部１Ｃを設けることにより、利用者３のキーボードＫのタッチ回数やリターンキータッチの回数、マウスＭのクリック回数をカウントしたり、キーボード３やマウス３に接触している時間を計測することにより、その回数や接触時間に応じて課金することができる。従来のログイン，ログアウトの時間管理に比し実質的な利用時間に基づく課金を行うことができる効果がある。
【００３２】
次に、図５及び図６に、本発明をビジネスに展開した実施の形態について示す。ここで、サーバ装置５はアプリケーションを提供する事業者が運営する。
【００３３】
図５は、利用者３が、情報端末装置１（アプリケーション）を利用し、その利用料金をクレジットカード会社／銀行６を介して利用者３に課金する一例である。利用者３が装着している人体側通信装置２に格納されている利用者認証情報が、ネットワークワーク４を介してサーバ装置５に伝達される。これは、本発明により利用者３が意識的にパスワード入力等を行うことなく自動的に行われる。そして、利用者認証が行われるとアプリケーションが事業者（サーバ装置５）から提供される。
【００３４】
サーバ装置５には、利用者３と利用者３の固有情報（利用者認証情報，課金情報，口座情報、その他利用者属性）並びに両者の対応について管理する管理データベース５１が設けられており、管理データベース５１に基づいて、各々利用者３毎に、アプリケーションの利用時間または利用回数またはそれ以外の課金方法に基づいた課金情報がサーバ装置５に蓄積される。
【００３５】
そして、蓄積された課金情報は、クレジットカード会社／銀行６に伝達され、クレジットカード会社／銀行６は、利用者３本人に対して銀行振替等の手段により代金を請求し、利用者３はそれに基づいて支払いを行う。
【００３６】
図６は、利用者３がプリペイドカードを用い、そのプリペイドカードに基づいて課金が行われる一例である。利用者３は、事業者が運営する売店等からプリぺイドカードを代金を支払い購入する。前述のように情報端末装置１において、プリぺイドカードの情報を読み取り、その情報が人体側通信装置２に転送され、人体側通信装置２の記憶部２４に記憶される。その後、利用者３が情報端末装置１の使用を開始（情報入力部１２に接触）すると、事業者（サーバ装置５）からアプリケーションが提供される。尚、この実施形態の場合は、必ずしも利用者認証は行われなくてもよく、単にプリペイドカードの情報（度数，金額）に基づく課金が行われるだけでもよい。利用者３が情報端末装置１を使用すると、情報端末装置１（アプリケーション）の利用時間又は利用回数またはそれ以外の課金方法に基づいた課金情報がサーバ装置５に蓄積される。さらに、その蓄積された課金情報がネットワーク４−情報端末装置１−利用者３を経由して人体側通信装置２の記憶部２４に記憶されているプリペイド課金情報を更新する。尚、課金はサーバ装置５から行われてもよいし、情報端末装置１で行われるようにしてもよい。また、課金は、プリペイドカードの情報（度数，金額）を減算するようによいし、事業者からのＣＭを利用者３が閲覧する、あるいは利用者３から事業者へのアンケート回答などの情報提供することで加算されるようにしてもよい。
【００３７】
上記図４又は図５に示したような実施の形態にすることにより、各地に分散している情報端末装置並びに、それを使用する利用者の装着している人体側通信装置に保有している固有情報をサーバ装置で一元管理することができ、登録している利用者の利用者認証情報や情報端末装置使用状況や課金情報を確実かつ詳細に把握し、ＡＳＰ，オンライントレード，ｅ−マーケットプレイス、ネットワークオークション等の電子決済において高いセキュリティ、詳細な課金情報管理を行うことができるという効果を奏する。
【００３８】
また、ここでさらに、サーバ装置５により人体側通信装置２の固有情報を定期的あるいは盗まれた時点で書き換えることができるようにすれば、人体側通信装置の利用者認証情報が盗まれても、サーバ装置から定期的あるいは盗まれた時点で利用者認証情報が書き換えることができるので、セキュリティを向上させることができる。
【００４０】
【発明の効果】
上述の如く、本発明の請求項１記載の発明によれば、キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達するようにしたので、情報端末装置の利用者を、その利用中常時認証し特定することができ、また利用者に対し使用状況に合致した課金を行うことのできる情報システム及びシステム運用管理方法を提供するができた。
【００４１】
請求項２記載の発明においては、前記固有情報が利用者認証情報であるので、利用者がパスワード入力やＩＣカード挿入等することなく、情報端末装置で利用者を識別することができるとともに、情報端末装置使用中、常に利用者認証を行い、使用中の利用者のすり替わりを防止することができるという効果を奏する。
【００４２】
請求項３記載の発明においては、前記固有情報が課金情報であるので、利用者個々に対して、情報端末装置の利用状況の利用料金の課金を行うことができるという効果を奏する。
【００４３】
請求項４記載の発明においては、前記情報端末装置に、プリペイド情報を入力するためのプリペイド情報入力手段を付加し、入力された前記プリペイド情報を前記人体側通信装置の固有情報記憶手段に転送するようにしたので、銀行口座やクレジットカードのように個人情報を登録することなく、プリペイドカードを売店等で購入しそのプリペイドカードに登録された度数（金額）に応じて情報端末装置を容易かつ手軽に利用することができるとともに、利用者が装着している人体側通信装置にプリペイドカード入力手段を有さずに、人体側通信装置にプリペイド情報を入力することができ、人体側通信装置を小型とすることができるという効果を奏する。
【００４４】
請求項５記載の発明においては、前記情報端末装置に、該情報端末装置の使用時間もしくは使用回数を計る計時手段と、該計時手段の計時情報をもとに課金演算を行う課金演算手段を有するようにしたので、情報端末装置を使用している正味の利用時間や正味のタイピング回数に応じた（利用の実状を最も反映した）詳細な課金処理ができるという効果を奏する。
【００４５】
請求項６記載の発明においては、システム運用管理方法として、キーボードまたはマウスによる情報入力部を有する情報端末装置と、人の固有情報を保有する固有情報記憶手段と前記人の人体を介して外部装置との間で前記固有情報のデータ通信を行う情報通信手段とを有する人体側通信装置と、前記情報端末装置とネットワークを介して接続され、人と該人に対応する固有情報とを格納した管理データベースを具備したサーバ装置とを有し、前記情報端末装置の前記キーボードのキーまたは前記マウスのクリックボタンを導電性部材で構成もしくはこれらに導電性部材を設けるとともに、該導電性部材を情報入力部のデータ伝送回路と電気的に結合させて、前記人体が前記キーもしくは前記クリックボタンに接触した操作により入力された入力情報に、前記導電性部材を介して送信された前記固有情報を付加して、前記情報端末装置に伝達させ、前記サーバ装置と、前記情報端末装置もしくは前記人体側通信装置との間で、前記固有情報の通信を行い、前記サーバ装置において該固有情報と前記管理データベースに基づいて、人の情報端末の利用状態を管理するようにしたので、各地に分散している情報端末装置並びに、それを使用する利用者の装着している人体側通信装置に保有している固有情報をサーバ装置で一元管理することができ、登録している利用者の利用者認証情報や情報端末装置使用状況や課金情報を確実かつ詳細に把握し、ＡＳＰ，オンライントレード，ｅ−マーケットプレイス、ネットワークオークション等の電子決済において高いセキュリティ、詳細な課金情報管理を行うことができるという効果を奏する。
【００４６】
請求項７記載の発明においては、前記サーバ装置により前記人体側通信装置の固有情報を書き換え可能としたので、人体側通信装置の利用者認証情報が盗まれても、サーバ装置から定期的あるいは盗まれた時点で利用者認証情報が書き換えることができるので、セキュリティを向上させることができるという効果を奏する。
【図面の簡単な説明】
【図１】本発明の実施の形態の基本を示す図である。
【図２】本発明の実施の形態に係わる情報端末装置及び人体側通信装置のブロック図である。
【図３】本発明の実施の形態に係わる情報端末装置の情報入力部の一例を示す図である。
【図４】本発明のネットワーク構成の形態の一例を示す図である。
【図５】本発明のビジネス形態の一例を示す図である。
【図６】本発明のビジネス形態の一例を示す図である。
【符号の説明】
１    情報端末装置１
２    人体側通信装置
３    利用者
４    ネットワーク（公衆回線）
５    サーバ装置
６    クレジットカード会社／銀行
７    プリペイドカード販売店
５１  管理データベース
１２１  導電性部材（電極）
Ｋ    キーボード
Ｍ    マウス
【図１】
0003858599.tif 000002
【図２】
0003858599.tif 000003
【図３】
0003858599.tif 000004
【図４】
0003858599.tif 000005
【図５】
0003858599.tif 000006
【図６】
0003858599.tif 000007